(57)【要約】  表示システムは、原データの途中に画質の劣化を改善する所定の画像データを挿入する表示制御装置と、前記原データに基づいて生成された画像および前記所定の画像データに基づいて生成された画像を表示する表示装置と、を備える。
2016043210.tif 000002
【特許請求の範囲】
【請求項１】
原データの途中に画質の劣化を改善する所定の画像データを挿入して、挿入後画像データを生成する表示制御装置と、
前記挿入後画像データに基づいて画像を表示する表示装置と、
を備える表示システム。
【請求項２】
前記表示装置は、前記表示装置に表示される画像を切り換えることにより生じる画質の劣化を改善する改善動作を行う請求項１に記載の表示システム。
【請求項３】
前記表示制御装置は、前記所定の画像データに基づいて生成された画像を表示する動作とは異なる前記改善動作を停止する請求項２に記載の表示システム。
【請求項４】
前記改善動作は、前記表示装置の表示画面全体を一度暗転させるリフレッシュ動作である、
請求項２または請求項３に記載の表示システム。
【請求項５】
前記原データは、連続する第１画像データおよび第２画像データを含み、
前記表示制御装置は、前記第１画像データと前記第２画像データとの差分が所定のしきい値以下であるか判断し、
前記表示制御装置は、前記差分が前記所定のしきい値以下であると判断した場合に、前記第１データの直前に前記所定の画像データを挿入する、
請求項１から請求項４の何れか一項に記載の表示システム。
【請求項６】
前記差分は、前記第１画像データと第２画像データとの時系列的な差分を含む、
請求項５に記載の表示システム。
【請求項７】
前記差分は、前記第１画像データに含まれる隣接する画素に表示されるデータ間の差分と、前記第２画像データに含まれる隣接する画素に表示されるデータ間の差分と、の差分を含む、
請求項５または請求項６に記載の表示システム。
【請求項８】
前記差分は、前記第１画像データの輝度と前記第２画像データの輝度との差分を含む、
請求項５から請求項７の何れか一項に記載の表示システム。
【請求項９】
前記差分は、前記第１画像データのコントラストと前記第２画像データのコントラストとの差分を含む、
請求項５から請求項８の何れか一項に記載の表示システム。
【請求項１０】
前記差分は、前記第１画像データの階調と前記第２画像データの階調との差分を含む、
請求項５から請求項９の何れか一項に記載の表示システム。
【請求項１１】
前記差分は、前記第１画像データの色相と前記第２画像データの色相との差分を含む、
請求項５から請求項１０の何れか一項に記載の表示システム。
【請求項１２】
前記差分は、前記第１画像データの明度と前記第２画像データの明度との差分を含む、
請求項５から請求項１１の何れか一項に記載の表示システム。
【請求項１３】
前記差分は、前記第１画像データの彩度と前記第２画像データの彩度との差分を含む、
請求項５から請求項１２の何れか一項に記載の表示システム。
【請求項１４】
前記原データは、時系列的に連続する２つの画像データを含み、
前記表示制御装置は、前記２つの画像データの間に前記所定の画像データを挿入し、
前記表示装置は、前記２つの画像データのうち一方に基づいて生成された画像を表示した後に、前記所定の画像データを基づいて生成された画像を表示し、
前記表示装置は、前記所定の画像データを基づいて生成された画像を表示した後に、前記２つの画像データのうち他方に基づいて生成された画像を表示する
請求項１に記載の表示システム。
【請求項１５】
前記原データは、時系列的に連続する第１画像データ、第２画像データおよび第３画像データを含み、
前記表示制御装置は、前記第１画像データと前記第２画像データとの差分が所定のしきい値以下であるか判断し、
前記表示制御装置は、前記第２画像データと前記第３画像データとの差分が所定のしきい値以下であるか判断し、
前記表示制御装置は、前記第１画像データと前記第２画像データとの差分が前記所定のしきい値以下でなく、かつ、前記第２画像データと前記第３画像データとの差分が前記所定のしきい値以下であると判断した場合、前記第１画像データと前記第２画像データとの間に前記所定の画像データを挿入する、
請求項１に記載の表示システム。
【請求項１６】
原データの途中に表示の劣化を改善する所定の画像データを挿入する挿入部、
を備える、表示制御装置。
【請求項１７】
前記所定の画像データに基づいて生成された画像を表示する動作とは異なる、画像を切り換ることにより生じる画質の劣化を改善する改善動作を停止する停止部、
をさらに備える、請求項１６に記載の表示制御装置。
【請求項１８】
原データの途中に画質の劣化を改善する所定の画像データを挿入する、
ことを含む表示制御方法。
【請求項１９】
前記所定の画像データに基づいて生成された画像を表示する動作とは異なる、画像を切り換えることにより生じる画質の劣化を改善する改善動作を停止する、
ことをさらに含む請求項１８に記載の表示制御方法。
【請求項２０】
表示制御装置のコンピュータに、
原データの途中に画質の劣化を改善する所定の画像データを挿入すること、
を実行させるプログラム。
【請求項２１】
前記表示制御装置のコンピュータに、
前記所定の画像データに基づいて生成された画像を表示する動作とは異なる、画像を切り換えることにより生じる画質の劣化を改善する改善動作を停止すること、
をさらに実行させる請求項２０に記載のプログラム。
【発明の詳細な説明】
【技術分野】
【０００１】
本発明は、表示システム、表示制御装置、表示制御方法及びプログラムに関する。
【背景技術】
【０００２】
２つの電極間に配置されたカプセル内の電気泳動粒子を移動させて画像を生成する電気泳動方式の電子ペーパがある。この電子ペーパにおいて、画像の書き換えを繰り返した場合、過去に表示した画像が残像として表示される現象が発生する。そのため、一般的に、表示画面全体を一度暗転させる「リフレッシュ」と呼ばれる動作を行うことで残像を消去する。その後、書き換え後に表示すべき画像に応じた電圧を２つの電極に印加する。
特許文献１には、関連する技術として、表示部の画面のスクロール速度に応じて、文字の階調と文字の背景の階調との差を小さくするように文字を表示させる技術が記載されている。
特許文献２には、関連する技術として、長押しなどのユーザ操作内容の確定に必要な時間を利用して表示部の画質の劣化を抑制する技術が記載されている。
【先行技術文献】
【特許文献】
【０００３】
【特許文献１】日本国特開２０１４−１３０５７７号公報
【特許文献２】日本国特開２０１０−４５５２７号公報
【発明の概要】
【発明が解決しようとする課題】
【０００４】
一般的に、電気泳動表示方式の表示部において、残像などの表示の劣化を改善するリフレッシュ動作は、表示システムへ所定の電位を与えることにより行われる。ユーザは、表示システムが行うリフレッシュ動作に対して、例えば、「４ページ毎」にリフレッシュ動作を行うなどの条件を設定することができる。そして、表示システムは、ユーザが設定した条件を満足した場合にリフレッシュ動作を行う。しかしながら、電気泳動方式の電子ペーパを用いて動画データなどの高速に切り替わる表示を表示する場合、表示システムが、例えば、「４ページ毎」にリフレッシュ動作を行うと、高速に切り替わる表示の４フレーム毎にリフレッシュ動作が行われる。その結果、画像の滑らかな遷移が阻害される。そのため、表示装置が高速に切り替わる画像を表示する際に画像を綺麗に表示することのできる技術が求められていた。【０００５】
この発明の目的の一例は、上記の課題を解決することのできる表示システム、表示制御装置、表示制御方法及びプログラムを提供することである。
【課題を解決するための手段】
【０００６】
本発明の実施態様に係る表示システムは、原データの途中に画質の劣化を改善する所定の画像データを挿入して、挿入後画像データを生成する表示制御装置と、前記挿入後画像データに基づいて画像を表示する表示装置と、を備える。【０００７】
本発明の実施態様に係る表示制御装置は、原データの途中に表示の劣化を改善する所定の画像データを挿入する挿入部を備える。【０００８】
本発明の実施態様に係る表示制御方法は、原データの途中に画質の劣化を改善する所定の画像データを挿入する、ことを含む。【０００９】
本発明の実施態様に係るプログラムは、表示制御装置のコンピュータに、原データの途中に画質の劣化を改善する所定の画像データを挿入すること、を実行させる。
【発明の効果】
【００１０】
本発明の実施形態によれば、表示切り換えにより生じる表示の劣化を改善する動作を行う表示装置が高速に切り替わる画像を表示する際に画像を綺麗に表示することができる。
【図面の簡単な説明】
【００１１】
【図１】本発明の実施形態による表示制御装置の構成の一例を示すブロック図である。
【図２】本発明の第一の実施形態による表示システムの構成の一例を示すブロック図である。
【図３Ａ】本発明の第一の実施形態による画像データ挿入部が、原データの途中に所定の画像データを挿入する例を示す説明図である。
【図３Ｂ】本発明の第一の実施形態による画像データ挿入部が、原データの途中に所定の画像データを挿入する例を示す説明図である。
【図４】本発明の第一の実施形態による表示システムの処理フローの一例を示す図である。
【図５Ａ】本発明の第二の実施形態による画像データ挿入部が、画像を拡大する際に原データの途中に所定の画像データを挿入する例を示す図である。
【図５Ｂ】本発明の第二の実施形態による画像データ挿入部が、画像を拡大する際に原データの途中に所定の画像データを挿入する例を示す図である。
【図６】本発明の第二の実施形態による表示システムの処理フローの一例を示す図である。
【発明を実施するための形態】
【００１２】
図１は、本発明の実施形態による表示制御装置１０の構成の一例を示すブロック図である。
表示制御装置１０は、図１に示すように、少なくとも画像データ挿入部１０１を備える。
画像データ挿入部１０１は、原データの途中に表示切り換えにより生じる表示の劣化を改善する所定の画像データを挿入する。
【００１３】
＜第一の実施形態＞
図２は、本発明の第一の実施形態による表示システム１の構成の一例を示すブロック図である。
図２に示すように、第一の実施形態による表示システム１は、表示制御装置１０と表示装置２０と記憶部３０とを備える。
【００１４】
表示制御装置１０は、挿入部１０１および表示改善動作停止部１０２を備える表示制御部１０３を備える。画像データ挿入部１０１は、以下単に挿入部１０１と称する場合がある。表示改善動作停止部１０２は、以下単に停止部１０２と称する場合がある。図２に示す挿入部１０１は、図１に示す挿入部１０１と同様の構成であってもよい。
挿入部１０１は、原データの途中に、表示（画像）を切り換えることにより生じる表示（画質）の劣化を改善する所定の画像データを挿入する。より具体的には、挿入部１０１は、高速に表示が切り替わる動画などの原データに含まれる連続するデータの差分が所定のしきい値以下であるか判断する。挿入部１０１は、データの差分が所定のしきい値以下であると判断した場合に、連続するデータの直前に表示切り換えにより生じる表示の劣化を改善する所定の画像データを挿入する。その所定の画像データは、例えば、黒画像や白画像などの単色の画像を表示装置２０の全画面に表示させる画像データであってもよい。
原データに含まれる連続するデータの差分の具体例は、時系列的な差分、隣接する画素間での差分、輝度に基づく差分、コントラストに基づく差分、階調に基づく差分、色相に基づく差分、明度に基づく差分、彩度に基づく差分を含む。すなわち、データの差分は、原データに含まれる連続する２つの画像データの時系列的な差分を含んでもよい。データの差分は、連続する２つの画像データのうち一方の画像データに含まれる隣接する画素に表示されるデータ間の差分と、他方の画像データに含まれる隣接する画素に表示されるデータ間の差分との差分を含んでもよい。データの差分は、連続する２つの画像データの輝度の差分を含んでもよい。データの差分は、連続する２つの画像データのコントラストの差分を含んでもよい。データの差分は、連続する２つの画像データの階調の差分を含んでもよい。データの差分は、連続する２つの画像データの色相の差分を含んでもよい。データの差分は、連続する２つの画像データの明度の差分を含んでもよい。データの差分は、連続する２つの画像データの彩度の差分を含んでもよい。所定のしきい値は、動画データに含まれる連続する画像データが静止画（または、変化の少ない静止画に近い動画）を示すデータであるか否かを判定するためのしきい値を示す。動画データに含まれる連続する画像データが静止画を示すデータである場合は、所定時間（例えば１秒間）同じ画像が続く場合を含んでもよい。所定のしきい値は、動画データに含まれる連続する画像データが変化の少ない動画（静止画に近い動画）を構成するデータであるか否かを判定するためのしきい値を示してもよい。
本発明の第一実施形態による表示装置２０が表示する画像は、モノクロの画像に限定されない。例えば、表示装置２０は、カラーフィルタを用いる方法、粒子自体に色を付けてピクセル毎に入れ分ける方法、１ピクセルの中に３種以上の色を付けた粒子を入れる方法などにより、カラー画像を表示してもよい。
【００１５】
表示制御部１０３は、表示装置２０の表示画面全体を一度暗転させるリフレッシュ動作を行うように、表示装置２０に指示してもよい。表示装置２０は、表示制御部１０３からの指示にしたがって、リフレッシュ動作を行ってもよい。このリフレッシュ動作は、表示装置２０に表示される画像を切り換えることにより生じる画質の劣化を改善する改善動作の一例である。リフレッシュ動作は、原データの途中に画質の劣化を改善する所定の画像データを挿入する動作（挿入動作）とは異なる。
停止部１０２は、挿入部１０１が原データの途中に所定の画像データを挿入して生成した画像を表示させるデータに基づかずに行われる表示の劣化を改善する動作を停止する。例えば、停止部１０２は、挿入部１０１が原データの途中に単色の画像を示す所定の画像データを挿入して生成した画像を表示させるデータ（以下、データ挿入後画像データ（挿入後画像データ））に基づかずに行われる、表示制御部１０３が行う上記のリフレッシュ動作を停止する。すなわち、表示制御部１０３は、リフレッシュ動作（改善動作）の停止を表示装置２０に指示する。
【００１６】
表示制御部１０３は、挿入部１０１がデータ挿入後画像データが示す画像を表示装置２０に表示させる。
【００１７】
表示制御装置１０によっての一部または全部は、専用のアプリケーションプログラムに基づいて、動作してもよい。
【００１８】
表示装置２０は、表示画面２０１Ａ（図３Ａ参照）を有する表示部２０１を備える。
表示部２０１は、表示制御部１０３による制御に基づいて画像を表示する。表示部２０１は、例えば、電気泳動表示方式や粒子移動方式の表示部であってもよい。表示部２０１は、表示切り換えにより生じる表示の劣化を改善する動作を行う。以下、具体例として、表示部２０１が、表示切り換えにより生じる表示の劣化を改善する動作が行い、電気泳動素子を用いて表示制御を行う電気泳動表示方式の表示部である場合について説明する。表示部２０１が表示する画像（動画）は、モノクロの画像（動画）に限定されない。表示部２０１は、カラーフィルタを用いる方法、粒子自体に色を付けてピクセル毎に入れ分ける方法、１ピクセルの中に３種以上の色を付けた粒子を入れる方法などにより、カラーの画像（動画）を表示してもよい。
記憶部３０は、表示システム１が行う処理に必要な種々のデータを記憶する。
【００１９】
図３Ａおよび３Ｂは、本発明の第一の実施形態による挿入部１０１が、原データの途中に所定の画像データを挿入する例を示す説明図である。
図３Ａは、所定の画像データを挿入する前の原データに基づく画像（動画）を示す。図３Ａは、所定の画像データを挿入した後の画像データに基づく画像（動画）を示す。図３Ａおよび３Ｂに示すように、表示部２０１の表示画面２０１Ａは種々の画像を表示する。図３Ａに示す原データにおいて、画像Ａより時系列的に前の画像から画像Ａまでの画像と、画像Ｃおよび画像Ｄは、静止画または変化の少ない静止画に近い動画を構成する。図３Ａに示す原データにおいて、画像Ｂは、画像Ａから画像Ｃへ表示が遷移する途中の画像であり、変化の多い画像（変化の多い動画の一部を構成する画像）である。また、図３Ａに示す原データは、画像Ａから画像Ｃへ所定の時間間隔毎に表示が遷移する動画データを含んでいる。説明を簡単にするために図３Ａに示す例においては画像Ｂとして１つの画像しか示していないが、画像Ｂの前後には複数の画像が存在してもよい。すなわち、画像Ａと画像Ｂとの間には複数の画像が存在してもよく、画像Ｃと画像Ｄとの間には複数の画像が存在してもよい。画像Ｃと画像Ｄとでは、女の子の右手の位置が相違する。しかしながら、このような場合に限定されず、画像Ｃと画像Ｄとが同じ画像であってもよい（すなわち、画像Ｃが所定時間以上連続して表示されてもよい）。
人間の目は静止画における変化に対して高い感度を示す特性を有する。このため、画像Ａから画像Ｃへ表示が遷移する動画データを表示部２０１に表示する場合、表示制御部１０３は、静止画に近い画像Ａと画像Ｃを綺麗に表示させる必要がある。他方、人間の目は動画における変化に対して低い感度を示す特性を有する。このため、表示制御部１０３は、画像Ａから画像Ｃへ表示が遷移する途中の変化の多い画像Ｂをそれ程綺麗に表示させる必要がない。
【００２０】
ただし、表示部２０１は、変化の多い画像Ｂを表示させると、残像などの表示の劣化が生じる。そのため、挿入部１０１は、表示部２０１に続けて表示する２つの画像の画像データを比較し、その２つの画像データの差分を特定する。図３Ａに示す例においては、挿入部１０１は、動画データに含まれる画像Ａの直前の画像の画像データと画像Ａの画像データとを比較し、それら２つの画像データの差分がしきい値よりも小さいと特定する。挿入部１０１は、動画データに含まれる画像Ａと画像Ａの直後の画像の画像データとを比較し、それら２つの画像データの差分がしきい値よりも大きいと特定する。画像Ａの直後の画像は、画像Ｂであってもよい。挿入部１０１は、画像Ｃの画像データと画像Ｃの直後の画像の画像データとを比較し、それら２つの画像データの差分がしきい値よりも小さいと特定する。画像Ｃの直後の画像は、画像Ｄであってもよい。挿入部１０１は、画像Ｂの画像データと画像Ｂの直後の画像の画像データとを比較し、それら２つの画像データの差分がしきい値よりも大きいと特定する。画像Ｂの直後の画像は、画像Ｃであってもよい。
すなわち、挿入部１０１は、２つの画像の画像データを比較して、２つの画像の画像データの各差分を特定し、特定した各差分について所定のしきい値以下であるか否かを判定する。所定のしきい値は、動画データに含まれる連続する画像データが静止画（または、静止画に近い動画）を示すデータであるか否かを判定するしきい値を示してもよい。
挿入部１０１は、特定した差分が所定のしきい値以下であると判定した場合に、２つの画像データが静止画（または、静止画に近い動画）を構成するデータであると判定する。そして、挿入部１０１は、２つの画像データのうちの最初の画像データの直前に所定の画像データを挿入する。図３Ａに示す例の場合、挿入部１０１は、動画データに含まれる画像Ｃの画像データと画像Ｄ（画像Ｃの直後の画像）の画像データの差分を所定のしきい値と比較する。そして、挿入部１０１は、画像Ｃと画像Ｄとの差分が所定のしきい値以下であると判定し、画像Ｃと画像Ｄが静止画に近い動画を構成すると判定する。そして、図３Ｂに示すように、挿入部１０１は、原データにおける画像Ｃを示すデータの直前に、所定の画像データとして、黒画像（図３Ｂではハッチで表示されている）を示す画像Ｅの画像データを挿入する。そして、挿入部１０１は、データ挿入後画像データを表示制御部１０３に出力する。
また、停止部１０２は、挿入部１０１がデータ挿入後画像データに基づかずに行われる表示の劣化を改善する改善動作を停止する。すなわち、挿入部１０１が所定の画像データを原データに挿入することに応答して、停止部１０２が改善動作を停止する。
このようにすれば、表示システム１は、所定の画像データを挿入した動画データを表示することで高速に切り替わる表示を表示部２０１に表示する際に、動画における静止画に近い画像を綺麗に表示することができる。
【００２１】
図４は、第一の実施形態による表示システム１の処理フローの一例を示す。
次に、第一の実施形態による表示システム１が行う処理について説明する。
具体例として、表示システム１が扱うデータが動画データである場合に表示システム１が行う処理について説明する。
【００２２】
ユーザは、表示システム１などの装置を用いてウェブサイトにアクセスし、ウェブサイトから動画データをダウンロードする。表示システム１が備える記憶部３０は、ユーザ操作によりダウンロードした動画データを記憶する（ステップＳ１）。
【００２３】
挿入部１０１は、記憶部３０から動画データを読み出す（ステップＳ２）。
挿入部１０１は、記憶部３０から読み出した動画データに含まれるｎ番目とｎ＋１番目の連続するデータの差分を特定する（ステップＳ３）。例えば、挿入部１０１は、初期値ｎ＝１として、以下の処理を行う（ｎ＝１の画像データは、動画データに含まれる最初の画像データを示す）。すなわち、挿入部１０１は、連続する２つの画像データであるｎ番目の画像データとｎ＋１番目の画像データとの時系列的な輝度、コントラスト、階調、色相、明度、彩度などを比較し、その比較結果に基づいて差分を特定する。例えば、挿入部１０１は、ｎ番目とｎ＋１番目の画像データの隣接する画素間の輝度、コントラスト、階調、色相、明度、彩度などを比較し、その比較結果に基づいて差分を特定してもよい。挿入部１０１は、動画データに含まれる連続する２つの画像データの差分を輝度、コントラスト、階調、色相、明度、彩度などの何れか１つに基づいた差分として特定してもよい。また、挿入部１０１は、動画データに含まれる連続する２つの画像データの差分を輝度、コントラスト、階調、色相、明度、彩度などのうちの任意の２つ以上の組み合わせに基づいた差分として特定してもよい。挿入部１０１が２つの画像データの差分を特定する際に用いる情報は、輝度、コントラスト、階調、色相、明度、彩度に限定されない。挿入部１０１は、２つの画像データの差分を適切に判定できる情報であれば、どのような情報を用いてもよい。
【００２４】
挿入部１０１は、特定した差分と所定のしきい値とを比較する。そして、挿入部１０１は、特定した差分が所定のしきい値以下であるか否かを判定する（ステップＳ４）。
【００２５】
挿入部１０１は、特定した差分が所定のしきい値以下であると判定した場合（ステップＳ４においてＹＥＳ）、２つの画像データが静止画に近い動画を構成するデータであると判定する。そして、挿入部１０１は、２つの画像データのうちの最初の画像データの直前に所定の画像データを挿入する（ステップＳ５）。図３Ａに示す例の場合、挿入部１０１は、動画データに含まれる画像Ｃの画像データと画像Ｄ（画像Ｃの直後の画像）の画像データとの差分と所定のしきい値とを比較する。挿入部１０１は、画像Ｃと画像Ｄの画像データの差分が所定のしきい値以下であると判定した場合、画像Ｃと画像Ｄの画像データが静止画に近い動画を構成するデータであると判定する。そして、挿入部１０１は、原データの画像Ｃを示すデータの直前に、例えば、黒画像を示す画像Ｅ（図３Ｂ参照）を構成する所定の画像データを挿入する。
挿入部１０１は、２つの画像データのうちの最初の画像データの直前に所定の画像データを挿入する処理が初回である場合のみ、所定の画像データを挿入したことを示すデータ挿入報知信号を停止部１０２に出力する。
【００２６】
挿入部１０１は、特定した差分が所定のしきい値以下ではないと判定した場合（ステップＳ４においてＮＯ）、２つの画像データが静止画に近い動画を構成するデータではないと判定する。そして、挿入部１０１は、ステップＳ５の処理を行わずに、動画データに含まれるｎ＋１番目の画像データが動画データに含まれる最後の（Ｎ番目の）画像データであるか否かを判定する（ステップＳ６）。例えば、挿入部１０１は、判定処理を行った２つの画像データのうちのｎ＋１番目の画像データが示す番号ｎ＋１と動画データに含まれる最後の画像データであるＮ番目の画像データが示す番号Ｎとを比較する。そして、挿入部１０１は、“ｎ＋１”と“Ｎ”が等しい場合に、動画データに含まれるｎ＋１番目の画像データが動画データに含まれる最後の画像データであると判定する。
挿入部１０１は、動画データに含まれるｎ＋１番目の画像データが動画データに含まれる最後の画像データではないと判定した場合（ステップＳ６においてＮＯ）、判定処理を行う２つの画像データの組を１つ次に進めるために“ｎ”に“１”を加える（ステップＳ７）。そして、処理がステップＳ３に戻る。
挿入部１０１は、動画データに含まれるｎ＋１番目の画像データが動画データに含まれる最後の画像データであると判定した場合（ステップＳ６においてＹＥＳ）、挿入部１０１は、データ挿入後画像データを表示制御部１０３に出力する。
【００２７】
停止部１０２は、挿入部１０１から出力されたデータ挿入報知信号を受信すると、データ挿入後画像データに基づかずに行われる表示の劣化を改善する動作を停止する（ステップＳ８）。例えば、停止部１０２は、挿入部１０１からデータ挿入後画像データを受信すると、表示制御部１０３が行うリフレッシュ動作を停止する。そして、表示制御部１０３は、表示装置２０にデータ挿入後画像データが示す動画を表示するように指示する。
表示装置２０が備える表示部２０１は、表示制御装置１０が備える表示制御部１０３による制御に基づいてデータ挿入後画像データが示す動画（画像）を表示する（ステップＳ９）。
【００２８】
本発明の第一の実施形態による表示システム１の処理フローの説明は以上である。
上述の表示システム１の処理において、挿入部１０１は、原データの途中に表示切り換えにより生じる表示の劣化を改善する所定の画像データを挿入する。停止部１０２は、挿入部１０１がデータ挿入後画像データに基づかずに行われる表示切り換えにより生じる表示の劣化を改善する動作を停止する。より具体的には、例えば、停止部１０２は、挿入部１０１がデータ挿入後画像データに基づかずに行われる、表示制御部１０３が行うリフレッシュ動作を停止する。そして、表示制御部１０３は、データ挿入後画像データが示す動画を表示装置２０に表示させる。
このようにすれば、表示部２０１は、表示切り換えにより生じる表示の劣化を改善する動作が行われる表示装置２０が高速に切り替わる動画データにおける静止画に近い表示を表示する際に表示を綺麗に表示することができる。
表示システム１の処理は、図４に示す処理に限定されない。図４に示す処理の一部（ステップＳ３〜Ｓ５）は以下のような処理であってもよい。すなわち、挿入部１０１は、連続する２つの画像データであるｎ番目の画像データとｎ＋１番目の画像データと差分と所定のしきい値とを比較する。また、挿入部１０１は、連続する２つの画像データであるｎ＋１番目の画像データとｎ＋２番目の画像データと差分と所定のしきい値とを比較する。挿入部１０１は、ｎ番目の画像データとｎ＋１番目の画像データとの差分が所定のしきい値以下でなく、かつ、ｎ＋１番目の画像データとｎ＋２番目の画像データと差分と所定のしきい値以下であると判断した場合に、ｎ＋１番目の画像データの直前（すなわち、ｎ番目の画像データの直後）に所定の画像データを挿入する。
【００２９】
＜第二の実施形態＞
次に、第二の実施形態による表示システム１について説明する。
本発明の第二の実施形態による表示システム１の構成は、図２に示した第一の実施形態による表示システム１の構成と同様である。第一の実施形態と第二の実施形態との相違点は、第二の実施形態による表示システム１が扱うデータが画像を拡大する際に用いる画像データである点である。
【００３０】
図５Ａおよび５Ｂは、本発明の第二の実施形態による挿入部１０１が、画像を拡大する際に原データの途中に所定の画像データを挿入する例を示す図である。
図５Ａは、所定の画像データを挿入する前の画像の拡大を示す図である。また、図５Ｂは、所定の画像データを挿入した後の画像の拡大を示す図である。
図５Ａに示す原データにおいて、画像ｂは画像ａの一部を拡大した画像である。
ユーザによるピンチアウトなどの操作に応答して画像ａを拡大する場合、表示部２０１はその操作に応じた倍率の画像を表示する。その場合において、表示部２０１の表示は、画像の表示から動画の表示に遷移する。
そのため、ユーザによる拡大操作に応答して表示部２０１が静止画である画像ａから静止画である画像ｂへ遷移する動画を表示する場合、図３Ａおよび３Ｂを参照して説明した場合と同様に、挿入部１０１は、画像ｂを構成する画像データの直前に所定の画像データを挿入する。図５Ｂに示ように、所定の画像データは、例えば、黒画像（図５Ｂではハッチで表示されている）を示す画像ｃを構成する画像データであってもよい。
【００３１】
図６は、本発明の第二の実施形態による表示システム１の処理フローの一例を示す図である。
次に、第二の実施形態による表示システム１が行う処理について説明する。
なお、ここでは、表示システム１がユーザによる拡大操作により表示する静止画を拡大表示する場合に行う処理について説明する。
【００３２】
表示システム１が備える記憶部３０は、ユーザ操作に従って静止画データを記憶する（ステップＳ１１）。
挿入部１０１は、記憶部３０から静止画データを読み出す（ステップＳ１２）。表示制御部１０３は、挿入部１０１が記憶部３０から静止画データを読み出すと、表示部２０１にその静止画データに基づく画像を表示させる。
【００３３】
ユーザが表示部２０１の表示する静止画の拡大を指示する操作を行う。例えば、ユーザは、表示部２０１に対してピンチアウト操作を行うことにより、静止画の拡大を指示する。
表示制御部１０３は、ユーザによる拡大操作に応じた静止画の拡大率を算出する（ステップＳ１３）。表示制御部１０３は、算出した拡大率に応じた静止画になるように原データ（静止画データ）をエンコードする（ステップＳ１４）。表示制御部１０３は、ユーザによる拡大操作が行われている間、所定の時間間隔（例えば、０．０１秒間隔）でエンコードを行う。挿入部１０１は、エンコードを行うたびに、表示制御部１０３が表示部２０１に表示させる一つの静止画データを生成する。
【００３４】
挿入部１０１は、エンコードが行われる度に、連続して表示されるデータである、ｎ−１番目のエンコードにより生成されたデータとｎ番目のエンコードにより生成されたデータとの差分を特定する（ステップＳ１５）。例えば、挿入部１０１は、エンコード回数をｎ（初期値ｎ＝１）として、ｎ−１回目のエンコードにより生成されたｎ−１番目の画像データとｎ回目のエンコードにより生成されたｎ番目の画像データとの時系列的な輝度、コントラスト、階調、色相、明度、彩度などを比較し、その比較結果に基づいて差分を特定する。挿入部１０１は、ｎ−１番目の画像データとｎ番目の画像データの隣接する画素間の輝度、コントラスト、階調、色相、明度、彩度などを比較し、その比較結果に基づいて差分を特定してもよい。エンコード回数ｎが“１”の場合に、挿入部１０１が使用する０番目の画像データは、拡大前に表示部２０１が表示していた画像データである。
挿入部１０１は、連続する２つの画像データの差分を輝度、コントラスト、階調、色相、明度、彩度などの何れか１つに基づいた差分として特定してもよい。挿入部１０１は、連続する２つの画像データの差分を輝度、コントラスト、階調、色相、明度、彩度などのうちの任意の２つ以上の組み合わせに基づいた差分として特定してもよい。挿入部１０１が２つの画像データの差分を特定する際に用いる情報は、輝度、コントラスト、階調、色相、明度、彩度に限定されない。挿入部１０１は、２つの画像データの差分を適切に判定できる情報であれば、どのような情報を用いてもよい。
【００３５】
挿入部１０１は、特定した差分と所定のしきい値とを比較する。そして、挿入部１０１は、特定した差分が所定のしきい値以下であるか否かを判定する（ステップＳ１６）。
【００３６】
挿入部１０１は、特定した差分が所定のしきい値以下であると判定した場合（ステップＳ１６においてＹＥＳ）、２つの画像データのうちの最初の画像データの直前に所定の画像データを挿入する（ステップＳ１７）。
挿入部１０１は、２つの画像データのうちの最初の画像データの直前に所定の画像データを挿入する処理が初回である場合にのみ、所定の画像データを挿入したことを示すデータ挿入報知信号を停止部１０２に出力する。
【００３７】
停止部１０２は、挿入部１０１から出力されたデータ挿入報知信号を受信すると、データ挿入後画像データに基づかずに行われる表示の劣化を改善する動作を停止する（ステップＳ１８）。例えば、停止部１０２は、挿入部１０１からデータ挿入後画像データを受信すると、表示制御部１０３が行うリフレッシュ動作を停止する。
そして、表示制御部１０３は、データ挿入後画像データを表示部２０１に表示させる。
表示部２０１は、データ挿入後画像データが示す画像（動画）を表示する（ステップＳ１９ａ）。そして、表示システム１は、ステップＳ２０の処理に進む。
【００３８】
一方で、挿入部１０１が特定した差分が所定のしきい値以下ではないと判定した場合（ステップＳ１６においてＮＯ）、表示制御部１０３は、エンコードして生成したエンコード画像データを表示部２０１に表示させる。
表示部２０１は、エンコード画像データが示す画像を表示する（ステップＳ１９ｂ）。そして、表示システム１は、ステップＳ１７〜ステップＳ１９の処理を行わずに、ステップＳ２０の処理に進む。
【００３９】
ステップＳ１９ａまたはステップＳ１９ｂの処理の後、表示制御部１０３は、ユーザによる拡大操作が完了したか否かを判定する（ステップＳ２０）。例えば、表示制御部１０３は、表示部２０１が備えるタッチセンサからユーザの指の位置を示す座標データを取得する。画像は、その座標データによって示される座標の変化が所定の量以下になった場合、あるいは、タッチセンサからの情報がない場合にユーザによる拡大操作が完了したと判定する。
表示制御部１０３は、ユーザによる拡大操作が完了していないと判定した場合（ステップＳ２０においてＮＯ）、エンコード回数を示す“ｎ”に“１”を加える（ステップＳ２１）。そして、処理がステップＳ１４へ戻る。
一方で、表示制御部１０３がユーザによる拡大操作が完了したと判定した場合（ステップＳ２０においてＹＥＳ）、停止部１０２は、挿入部１０１からデータ挿入報知信号を受信すると、データ挿入後画像データに基づかずに行われる表示の劣化を改善する動作を再開する（ステップＳ２２）。例えば、停止部１０２は、表示制御部１０３が行うリフレッシュ動作を再開する。
【００４０】
本発明の第二の実施形態による表示システム１の処理フローについての説明は以上である。
上述の表示システム１の処理において、挿入部１０１は、原データの途中に表示切り換えにより生じる表示の劣化を改善する所定の画像データを挿入する。停止部１０２は、挿入部１０１がデータ挿入後画像データに基づかずに行われる表示切り換えにより生じる表示の劣化を改善する動作を停止する。より具体的には、例えば、停止部１０２は、挿入部１０１がデータ挿入後画像データに基づかずに行われる、表示制御部１０３が行うリフレッシュ動作を停止する。そして、表示制御部１０３は、データ挿入後画像データが示す拡大画像を表示装置２０に表示させる。
このようにすれば、表示部２０１は、表示切り換えにより生じる表示の劣化を改善する動作を行う表示装置２０が高速に切り替わるユーザによる拡大操作時の画像データにおける静止画に近い表示を表示する際に表示を綺麗に表示することができる。
表示システム１の処理は、図６に示す処理に限定されない。図６に示す処理の一部（ステップＳ１５〜Ｓ１７）は以下のような処理であってもよい。すなわち、挿入部１０１は、ｎ−１番目の画像データとｎ番目の画像データと差分と所定のしきい値とを比較する（“ｎ”はエンコード回数を示す）。また、挿入部１０１は、ｎ番目の画像データとｎ＋１番目の画像データと差分と所定のしきい値とを比較する。挿入部１０１は、ｎ−１番目の画像データとｎ番目の画像データとの差分が所定のしきい値以下でなく、かつ、ｎ番目の画像データとｎ＋１番目の画像データと差分と所定のしきい値以下であると判断した場合に、ｎ番目の画像データの直前（すなわち、ｎ−１番目の画像データの直後）に所定の画像データを挿入する。
【００４１】
なお、一般的な画像システムが画像を表示する場合、画像システムが１秒間に複数枚分の画像情報を表示部へ出力する。そのため、一般的な画像システムは、１秒間に何度もリフレッシュ動作を行い、動画の合間に単色の画像が頻繁に表示してしまう。また、一般的な画像システムは、頻繁に行うリフレッシュ動作により処理速度が低下してしまう。
それに対して、本発明の実施形態による表示システム１が備える表示制御部１０３は、リフレッシュ動作を停止する。そして、表示システム１が備える挿入部１０１がリフレッシュ動作と同等の効果を生じさせる画像データを生成し、画像データに挿入する。
そのため、表示システム１は、リフレッシュ動作を行わず、通常の画像データを表示させるのと同等の速度で処理を行うことができる。
【００４２】
本発明の実施形態における記憶部３０は、適切な情報の送受信が行われる範囲においてどこに備えられていてもよい。また、適切な情報の送受信が行われる範囲において、複数の記憶部３０が存在し、複数の記憶部３０がデータを分散して記憶していてもよい。
【００４３】
本発明の実施形態における処理フローは、適切な処理が行われる範囲において、処理の順番が入れ替わってもよい。
【００４４】
本発明の実施形態について説明したが、上述の表示システム１、表示制御装置１０及び表示装置２０は内部に、コンピュータシステムを有していてもよい。上述した処理の過程は、プログラムの形式でコンピュータ読み取り可能な記録媒体に記憶されており、このプログラムをコンピュータが読み出して実行することによって、上記処理が行われてもよい。コンピュータ読み取り可能な記録媒体とは、磁気ディスク、光磁気ディスク、ＣＤ−ＲＯＭ、ＤＶＤ−ＲＯＭ、半導体メモリ等であってもよい。このコンピュータプログラムを通信回線によってコンピュータに配信し、この配信を受けたコンピュータがそのプログラムを実行するようにしても良い。
【００４５】
上記プログラムは、前述した機能の一部を実現するためのプログラムであっても良い。
さらに、上記プログラムは、前述した機能をコンピュータシステムにすでに記録されているプログラムとの組み合わせで実現できるもの、いわゆる差分ファイル（差分プログラム）であっても良い。
【００４６】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができる。
【００４７】
この出願は、２０１４年９月１９日に出願された日本国特願２０１４−１９１４３５を基礎とする優先権を主張し、その開示の全てをここに取り込む。
【産業上の利用可能性】
【００４８】
本発明は、表示システム、表示制御装置、表示制御方法及びプログラムに適用してもよい。
【符号の説明】
【００４９】
１０・・・表示制御装置
２０・・・表示装置
３０・・・記憶部
１０１・・・画像データ挿入部（挿入部）
１０２・・・表示改善動作停止部（停止部）
１０３・・・表示制御部
２０１・・・表示部
【図１】
2016043210.tif 000003
【図２】
2016043210.tif 000004
【図３Ａ】
2016043210.tif 000005
【図３Ｂ】
2016043210.tif 000006
【図４】
2016043210.tif 000007
【図５Ａ】
2016043210.tif 000008
【図５Ｂ】
2016043210.tif 000009
【図６】
2016043210.tif 000010
【国際調査報告】
2016043210.tif 000011
2016043210.tif 000012